(57)【要約】【課題】少量の湯で全身を浸し、入浴することのできるエコノミー型浴槽を実現する。【解決手段】底部を段付きにして高い部分を腰掛け２とし、上部前板１ａを下部前板１ｂよりも腰掛け２に寄せてせまくした浴槽本体１に、前記上部前板１ａおよび下部前板１ｂの内側に、圧力空気によって大きくふくらむエアバッグ４ａ、４ｂを設けて構成する。【選択図】        図１
2004321198.tif 000002
【特許請求の範囲】
【請求項１】
底部を段付きにして高い部分を腰掛け（２）とし、上部前板（１ａ）を下部前板（１ｂ）よりも前記腰掛け（２）に寄せてせまくした浴槽本体（１）に、前記上部前板（１ａ）および下部前板（１ｂ）の内側に、流体によって大きくふくらむバッグ（４ａ、４ｂ）を設けてなるエコノミー型浴槽。
【請求項２】
前記流体が圧力空気である請求項１に記載のエコノミー型浴槽。
【請求項３】
上部側面に防水構造のドア（３）を設けた請求項１または２に記載のエコノミー型浴槽。
【発明の詳細な説明】
【０００１】
【発明の属する技術分野】
本発明は、少量の湯で全身が漬かるようにしたエコノミー型浴槽に関する。
【０００２】
【従来の技術】
浴槽には洋式バスタブや家庭用などの個人用、家族用などの小型のものから、温泉や公衆浴場などの大型のものもあるが、個人用であっても、ゆっくり全身を浸すには或る程度の容積が必要であり、寝そべった姿勢で入浴する洋式バスタブも和式のものも、２４０ないし３２０リットルの湯を必要とする。
【０００３】
温水を使用する通常の入浴であれば水の消費量と、湯沸かしのためのカロリー消費だけの問題であるが、治療や健康維持、美容増進を目的とした薬剤を使用する薬湯や牛乳風呂等の場合は、湯の使用量が大きいため甚だしく高価なものとなって、常用するのが困難であることから、少量の湯で全身を浸し、入浴することのできる浴槽の開発が望まれていた。
【０００４】
【発明が解決しようとする課題】
本発明は、このような要望に応え、きわめて少量の湯で全身を浸し、入浴することのできる浴槽を実現することを目的とする。
【０００５】
【課題を解決するための手段】
本発明は、底部を段付きにして高い部分を腰掛けとし、上部前板を下部前板よりも前記腰掛けに寄せてせまくした浴槽本体に、前記上部前板および下部前板の内側に、流体、例えば圧力空気によって大きくふくらむバッグを設けてなるエコノミー型浴槽であって、望ましくは上部側面に防水構造のドアを設けた前記のエコノミー型浴槽である。
【０００６】
【発明の実施の形態】
本発明のエコノミー型浴槽は、浴槽本体が入浴者の座った姿勢に合わせてコンパクトに作られている上に、内部にバッグを備え、これを大きくふくらませることによって容積をさらに減少するので、少量の湯でも水面が上昇し、全身を湯に漬けることができる。
【０００７】
【実施例】
図１は本発明の実施例のエコノミー型浴槽を示す斜視図、図２は同じくその断面図で、１は浴槽本体、１ａはその上部前板、１ｂはその下部前板、２は底部を段付きにして高い部分を腰を掛ける高さとした腰掛け、３は上部側面に設けられた片開き式のドア、３１はそのヒンジ、３２は閉じた状態でドア３を固定するドアロック、４ａ、４ｂは浴槽本体内側に取り付けられたエアバッグで、上部前板１ａの内側にはエアバッグ４ａが、下部前板１ｂの内側にはエアバッグ４ｂが取り付けられている。５は台板であるベース、６は図示しない温水ポンプまたは温水配管などの温水源、７は温水を浴槽本体１内に供給する給湯蛇口、８は図示しないエアポンプまたは圧力空気配管などの空気源、９は空気をエアバッグ４ａ、４ｂに出し入れする電磁式のスイッチ、１１はドア３の下部に必要に応じて設けられるステップ、１２は浴槽本体の底部に設けられる排水口である。
【０００８】
エアバッグ４ａ、４ｂは、圧力空気によってふくらんで体積を増大するゴム風船状のもので、伸縮性のあるやわらかいゴムや、収縮時に細かく折り畳まれる薄い袋状のものがよい。とくに表面は入浴者Ｕの身体に沿って自然に凹凸するようなしなやかな材質が望ましい。エアバッグ４ａ、４ｂの形状は任意であるが、入浴者Ｕの感触から見ると縦方向に溝を設けた凹凸状とするのがもっとも好ましい。
【０００９】
なお、腰掛け２の内側には湯が入らないのでいわばデッドスペースであるが、温水ポンプやエアポンプをこの中に設置するようにすれば浴槽全体をユニット化することができ、設置、移動が容易となる。
つづいてこの実施例のエコノミー型浴槽の使用方法を説明する。当初、浴槽本体１内には少なくとも下部前板１ｂの部分までしか湯は入れられていない。入浴者は、ドア３を開いて浴槽本体１内に入り、ドア３を閉じて、ドアロック３２をしっかり締める。いうまでもなく、ドア３は防水構造である。ドアロック３２は、入浴者が浴槽本体１の内側から確実に操作できる位置に設けることが必要である。
【００１０】
ついで給湯蛇口７を開いて浴槽本体１内に湯を入れるとともに、腰掛け２に腰を掛け、その姿勢でスイッチ９を押してエアバッグ４ａ、４ｂ内に圧力空気を送り込み、エアバッグ４ａ、４ｂをふくらませる。エアバッグ４ａ、４ｂは腰掛けた入浴者Ｕの前面にあるので、上半身前部と両足の前部がエアバッグ４ａ、４ｂによって軽く押される程度までふくらませることが望ましい。エアバッグ４ａ、４ｂがふくらむにつれて図２からわかるように浴槽本体１内の液面は上昇するから、液面が入浴者Ｕの所望の位置に到達したら給湯ならびに空気の送り込みを停止すればよい。
【００１１】
この状態における浴槽本体１内の空間は、本来の浴槽本体１内の容積よりも図示しない入浴者Ｕ自身の液面下の体積とエアバッグ４ａ、４ｂのふくらんだ体積分を加えた分だけせまくなっているので、意外に少量の湯で全身を浸すことができ、高価な薬湯や牛乳などを使用する場合にはきわめて経済的である。また内部の流体を液体にして振動を与えれば、マッサージ効果を得ることもできる。
【００１２】
ドア方向から見た浴槽本体１の寸法の一例を示すと、幅４００  ｍｍ、奥行き５００  ｍｍ、高さは下部１ｂが６００  ｍｍ、上部が３００  ｍｍで、本来ならば１００  ないし１２０  リットルの湯が必要であるが、本発明のエコノミー型浴槽ではエアバッグがあるために通常の体格の大人でわずか１０ないし２０リットル、つまり従来の１／１０の量の湯で入浴ができる。少量の湯を有効に作用させるため、気泡やジェット噴流などの形で循環させることも有効である。また、浴槽に入ったあと入浴者Ｕの肩から上にシートをかけ、サウナ風に内部を保温することもできる。
【００１３】
なお本発明のエコノミー型浴槽は使用する湯の量が少ないため、さめやすいという懸念もある。そこで腰掛け２の内部を温水タンクに構成してその熱で保温を図るようにしてもよい。ただし、この場合の温水タンク内の湯は、浴槽内に使用するのでなく、例えば上がり湯として使用することが望ましい。
本発明のエコノミー型浴槽は浴槽本体１が縦長で底部面積が小さいので、少量の湯で足部のみを温める足温浴などにも利用できるし、介護用の浴槽として使用することもできる。
【００１４】
【発明の効果】
本発明によれば、きわめて少量の湯で全身を浸して入浴することのできる浴槽が実現し、高価な薬湯などが手軽に利用できるようになるばかりでなくサウナ効果、マッサージ効果なども容易に得られ、健康が増進するなどのすぐれた効果を奏する。
【図面の簡単な説明】
【図１】本発明のエコノミー型浴槽を示す斜視図である。
【図２】本発明のエコノミー型浴槽の断面を示す断面図である。
【符号の説明】
１    浴槽本隊
１ａ        上部前板
１ｂ        下部前板
２    腰掛け
３    ドア
４ａ、４ｂ    エアバッグ（バッグ）
５    ベース
６    温水ポンプ（温水源）
７    給湯蛇口
８    エアポンプ（空気源）
９    スイッチ
１１        ステップ
１２        排水口
３１    ヒンジ
３２    ドアロック
Ｕ    入浴者
【図１】
2004321198.tif 000003
【図２】
2004321198.tif 000004